(57)【要約】      （修正有）【課題】  上枠と上框を合わせた見付寸法を小さくできる折戸装置の提供。【解決手段】  折戸体２ａ，２ｂと上枠３とを備え、折戸体は、隣接する戸１ａ，１ｂ，１ｃ，１ｄ，１ｅ，１ｆの竪框１５同士を連結竪骨４ａ，４ｂにより折畳み自在に連結し、且つ折戸体の戸先に位置する竪框に戸先側竪骨４ｃを連結したものであり、戸先側竪骨及び折戸体の谷折れ部に位置する連結竪骨４ａの上端部にはガイド装置２２が取付けてあり、折戸体の閉鎖時に上框の切り欠き内にガイド装置のブラケットが収容され、吊車が上框室内側面の室内側に位置し、且つ振れ止めローラーが上框上面の上方に位置しており、上枠は、上枠本体と補助材とから構成したものであり、上枠本体は、室外側に向けて開口し且つ吊車を走行自在に収納する吊車走行凹部を有し、補助材は、上枠本体の室外側下面に取付けてあり且つ振れ止めローラーが当接するガイド壁を有している。【選択図】図１
2006265961.tif 000002
【特許請求の範囲】
【請求項１】
折戸体と上枠とを備え、折戸体は、隣接する戸の竪框同士を連結竪骨により折畳み自在に連結し、且つ折戸体の戸先に位置する竪框に戸先側竪骨を連結したものであり、戸先側竪骨及び折戸体の谷折れ部に位置する連結竪骨の上端部にはガイド装置が取付けてあり、ガイド装置は、竪骨の上端から戸側に突設したブラケットと、ブラケットから室内側に突設した水平軸に軸支した吊車と、ブラケットから上方に突設した垂直軸に軸支した振れ止めローラーとを有し、折戸体の戸の上框にはブラケットを収容可能な切り欠きが設けてあり、折戸体の閉鎖時に上框の切り欠き内にガイド装置のブラケットが収容され、吊車が上框室内側面の室内側に位置し、且つ振れ止めローラーが上框上面の上方に位置しており、上枠は、上枠本体と補助材とから構成したものであり、上枠本体は、室外側に向けて開口し且つ吊車を走行自在に収納する吊車走行凹部を有し、補助材は、上枠本体の室外側下面に取付けてあり且つ振れ止めローラーが当接するガイド壁を有していることを特徴とする折戸装置。
【請求項２】
上框は、上框本体部とその下に設けたパネル取付溝とを有し、パネル取付溝を構成する壁の下端面と上枠本体の下端面とが略同一面であることを特徴とする請求項１記載の折戸装置。
【請求項３】
振れ止めローラーは上框上面における室内側に偏った位置にあり、上枠本体の室外側面と補助材の室外側面と上框の室外側面とが略同一面であることを特徴とする請求項１記載の折戸装置。
【請求項４】
上枠は、ガイド壁の下端に上框上面との隙間を塞ぐ気密材が設けてあり、吊車走行凹部を構成する下壁の端面に上框室内側面との隙間を塞ぐ気密材が設けてあることを特徴とする請求項１記載の折戸装置。
【発明の詳細な説明】
【技術分野】
【０００１】
本発明は、折戸装置に関するものである。
【背景技術】
【０００２】
従来の折戸装置は、特許文献１に記載されているように、複数の戸をヒンジで折畳み自在に連結し、戸の上面に吊車を突出して設けてあり、戸を支持する上枠には、吊車を走行自在に収容する下側が開口したレールを設けている。建物の窓としてこのような折戸装置を設置する場合、上枠の見付寸法が、吊車を収容するレールを設ける関係上、引き違いサッシ等の上枠に比べて大きくなり、さらに上枠の下方に突出して戸の上框が位置し、上枠と上框を合わせた見付寸法が大きくなり、窓上部の外観が良好ではなかった。
【特許文献１】実開平６−１４３８７号公報
【発明の開示】
【発明が解決しようとする課題】
【０００３】
本発明は以上に述べたような実情に鑑み、上枠と上框を合わせた見付寸法を小さくできる折戸装置の提供を目的とする。
【課題を解決するための手段】
【０００４】
上記の課題を達成するために、請求項１記載の発明による折戸装置は、折戸体と上枠とを備え、折戸体は、隣接する戸の竪框同士を連結竪骨により折畳み自在に連結し、且つ折戸体の戸先に位置する竪框に戸先側竪骨を連結したものであり、戸先側竪骨及び折戸体の谷折れ部に位置する連結竪骨の上端部にはガイド装置が取付けてあり、ガイド装置は、竪骨の上端から戸側に突設したブラケットと、ブラケットから室内側に突設した水平軸に軸支した吊車と、ブラケットから上方に突設した垂直軸に軸支した振れ止めローラーとを有し、折戸体の戸の上框にはブラケットを収容可能な切り欠きが設けてあり、折戸体の閉鎖時に上框の切り欠き内にガイド装置のブラケットが収容され、吊車が上框室内側面の室内側に位置し、且つ振れ止めローラーが上框上面の上方に位置しており、上枠は、上枠本体と補助材とから構成したものであり、上枠本体は、室外側に向けて開口し且つ吊車を走行自在に収納する吊車走行凹部を有し、補助材は、上枠本体の室外側下面に取付けてあり且つ振れ止めローラーが当接するガイド壁を有していることを特徴とする。
【０００５】
請求項２記載の発明による折戸装置は、請求項１記載の構成に加え、上框は、上框本体部とその下に設けたパネル取付溝とを有し、パネル取付溝を構成する壁の下端面と上枠本体の下端面とが略同一面であることを特徴とする。
【０００６】
請求項３記載の発明による折戸装置は、請求項１記載の構成に加え、振れ止めローラーは上框上面における室内側に偏った位置にあり、上枠本体の室外側面と補助材の室外側面と上框の室外側面とが略同一面であることを特徴とする。
【０００７】
請求項４記載の発明による折戸装置は、請求項１記載の構成に加え、上枠は、ガイド壁の下端に上框上面との隙間を塞ぐ気密材が設けてあり、吊車走行凹部を構成する下壁の端面に上框室内側面との隙間を塞ぐ気密材が設けてあることを特徴とする。
【発明の効果】
【０００８】
請求項１記載の発明による折戸装置は、折戸体を上枠に吊下げる吊車を、折戸体の閉鎖時に上框室内側面の室内側に位置するように設けたので、従来のように上框上面に吊車を突設した場合と比べて、上框上面の位置を上枠に対して相対的に上に上げることができ、その結果、上枠と上框を合わせた見付寸法を小さくすることができ、窓上部の外観が良好となる。また、折戸体の閉鎖時に上框上面の上方に位置するように設けた振れ止めローラーが、上枠のガイド壁に当接してガイドされるため、竪骨の上端部が室内外方向に振れることなく上枠に沿って移動し、折戸体の開閉がスムーズに行える。また上枠は、上枠本体と補助材とで構成してあり、吊車走行凹部が上枠本体に室外側に向けて開口して設けてあり、振れ止めローラーのガイド壁が補助材に設けてあるので、補助材を取外すことで折戸体を室外側から容易に上枠本体に取付けできる。
【０００９】
請求項２記載の発明による折戸装置は、上框のパネル取付溝を構成する壁の下端面と上枠本体の下端面とが略同一面であるため、室内側から見たときには上框が上枠本体の下端から露出せず、室外側から見たときには上枠本体の下端部が上框の下端から露出しないので、室内側と室外側の何れの側から見た意匠も良好となる。
【００１０】
請求項３記載の発明による折戸装置は、振れ止めローラーが上框上面における室内側に偏った位置にあり、上枠本体の室外側面と補助材の室外側面と上框の室外側面とが略同一面であることから、上枠と上框の室外側面が段差を生ずることなく連続し、室外側面の意匠が一層良好なものとなる。
【００１１】
請求項４記載の発明による折戸装置は、ガイド壁の下端に上框上面との隙間を塞ぐ気密材が設けてあり、吊車走行凹部を構成する下壁の端面に上框室内側面との隙間を塞ぐ気密材が設けてあるので、折戸体の閉鎖時に上枠と上框の間の気密性を確保できる。
【発明を実施するための最良の形態】
【００１２】
以下、本発明の実施の形態を図面に基づいて説明する。図６は、本発明の折戸装置の一実施形態を示す室外側正面図であり、図１は縦断面図、図２は折戸体を閉鎖した状態での横断面図、図３は折戸体を全開した状態での横断面図である。躯体開口部には、上枠３、下枠１２、左右の竪枠１３，１３を枠組みしてなる窓枠が固定して設けてあり、窓枠内には、室外側から見て左側に４枚の戸１ａ，１ｂ，１ｃ，１ｄを折畳み自在に連結した左折戸体２ａを配置してあり、右側に２枚の戸１ｅ，１ｆを折畳み自在に連結した右折戸体２ｂを配置してある。左右折戸体２ａ，２ｂは、図３に示すように、各戸が室外側に突出するように折り畳まり、開口部の略全域を開放できる。
【００１３】
左折戸体２ａは、図２に示すように、戸先側端部の室内側に戸先側竪骨４ｃが配置してあり、戸尻側端部の室内側に戸尻側竪骨４ｄが配置してあり、中央寄りの２枚の戸１ｂ，１ｃの間の室内側に谷折部用連結竪骨４ａが配置してあり、左側の２枚の戸１ａ，１ｂの間と右側の２枚の戸１ｃ，１ｄの間の室内側に山折部用連結竪骨４ｂが配置してある。各戸は、上框７と、下框１４と、左右の竪框１５，１５とを四周枠組みした枠内に、複層ガラス１６を嵌め込んで構成してあり、各竪框１５は竪骨４ａ，４ｂ，４ｃ，４ｄにそれぞれ垂直軸１７ａ，１７ｂ，１７ｃ，１７ｄで回転自在に連結してある。上框７は、図１に示すように、上框本体部４４を構成する上框本体７ａと、上框本体の室外側下部に取付ける着脱自在な押縁７ｂとで構成してあり、上框本体７ａの室内側に設けた垂下壁４６と押縁７ｂの垂下壁４７とでパネル取付溝４５を形成しており、上框本体７ａの垂下壁４６の下端面と押縁７ｂの垂下壁４７の下端面は、同一面となっている。
【００１４】
谷折部用連結竪骨４ａと山折部用連結竪骨４ｂは、室内側に設けた幅広中空部１８と、その室外側に設けられ戸同士の隙間に位置する幅狭中空部１９とを有しており、幅広中空部１８の横幅は、その室外側に並んで位置する二つの竪框１５，１５を合わせた横幅寸法と同一となっている。戸先側竪骨４ｃと戸尻側竪骨４ｄは、谷折部用連結竪骨４ａを左右に二分割したような形になっており、外側面に左右折戸体の召し合せ部の隙間と竪枠１３との隙間を塞ぐための気密材２０を取付けてある。各竪骨４ａ，４ｂ，４ｃ，４ｄと竪框１５の隙間にも気密材２１を設けてある。谷折部用連結竪骨４ａと戸先側竪骨４ｃと戸尻側竪骨４ｄは、上端部に上ガイド装置２２を取付けて上枠３にガイドし、下端部に下ガイド装置２３を取付けて下枠１２にガイドしてあり、折戸体２ａが折り畳まれるのに伴って左右方向にスムーズに移動する。山折部用連結竪骨４ｂの室内側面には、開閉操作用の取っ手２４を取付けてある。
【００１５】
右折戸体２ｂは、２枚の戸１ｅ，１ｆを山折部用連結竪骨４ｂで連結し、戸先側端部に戸先側竪骨４ｃを、戸尻側端部に戸尻側竪骨４ｄをそれぞれ連結し折畳み自在に構成してあり、戸先側竪骨４ｃと戸尻側竪骨４ｄの上端部に上ガイド装置２２を、下端部に下ガイド装置２３をそれぞれ取付けている。
【００１６】
上ガイド装置２２は、図８に示すように、上下に長い帯板状の取付板２５の上端部に軸保持ブロック２６を横向きにネジで固着して略Ｌ字形に形成したブラケット４２と、軸保持ブロック２６の長手方向略中央部に室内側に向けて突設した水平軸２７に回転自在に軸支した吊車５と、水平軸２７を挟む位置に軸保持ブロック２６から上方に突設した垂直軸２８に回転自在に軸支した振れ止めローラー６とを有している。図中の２９は、補強用のアングルであり、３１は、折戸体２ａ，２ｂの開放時に隣の上ガイド装置２２と衝突する衝撃を和らげるクッションゴムである。なお上ガイド装置２２は、図８に示す形状のものと、これと左右勝手違いの形状のものとがある。この上ガイド装置２２は、図４と図５に示すように、ブラケットの取付板２５を谷折部用竪骨４ａの室外側に形成した幅狭中空部１９に上から差し込んで側方からビス３０で固定し、竪骨上端から戸側に突出する形で取付けてある。戸先側竪骨４ｃ及び戸尻側竪骨４ｄの上端部にも、同じように上ガイド装置２２を取付けてある。各戸は、図７に示すように、上框本体７ａの側端部と竪框１５の上端部に切り欠き３２ａ，３２ｂを設けて上ガイド装置２２のブラケット４２の収容空間３３を設けてあり、折戸体２ａ，２ｂの閉鎖時には上ガイド装置２２のブラケット４２がこの収納空間３３に収容され、図１に示すように、吊車５が上框本体７ａの室内側面の室内側に位置しており、振れ止めローラー６が上框本体７ａの上面の室内側に偏った位置の上方に位置している。
【００１７】
上枠３は、上枠本体３ａと、上枠本体３ａの室外側下面に着脱自在に取付ける補助材３ｂとで構成してある。上枠本体３ａは、室外側に向けて開口し且つ吊車５を走行自在に収納する吊車走行凹部８を有している。吊車走行凹部８を構成する下壁３４の上面には吊車５が係合するレール３５を取付けてあり、また下壁３４の室外側端面には上框本体７ａの室内側面との隙間を塞ぐ気密材１１を取付けてある。補助材３ｂは、振れ止めローラー６が当接するガイド壁９を有しており、ガイド壁９の下端面と室外側壁の下端面には上框本体７ａ上面との隙間を塞ぐ気密材１０を取付けてある。上枠本体３ａの下端面は、上框のパネル取付溝４５を構成する上框本体７ａ及び押縁７ｂの垂下壁４６，４７の下端面と同一面となっている。また、上枠本体３ａの室外側面と補助材３ｂの室外側面と上框７（押縁７ｂ）の室外側面とが同一面となっている。
【００１８】
下ガイド装置２３は、図１に示すように、竪骨４ａ，４ｃ，４ｄにビス止めする取付板３６の側面に軸保持ブロック４１を固着してあり、軸保持ブロックから下方に突出して設けた垂直軸３７に下ガイドローラー３８を回転自在に軸支してある。下枠１２には、下ガイドローラー３８を走行自在に収容する溝部３９を形成してある。下枠１２上壁の室外側端部には、下框１４の室内側面との隙間を塞ぐ気密材４０ａが取付けてあり、下框１４の下端には下枠１２上面との隙間を塞ぐ気密材４０ｂが取付けてある。
【００１９】
本折戸装置は以上のように構成され、折戸体２ａ，２ｂを上枠３から吊下げるための吊車５を、上框本体７ａの室内側面の室内側に突出するように配置したことで、上枠３の見付寸法ｈ１を小さくすることができ、さらに上框本体７ａの上面の位置を上枠３に対して相対的に上に上げることができ、上枠３と上框７を合わせた見付寸法ｈ２を小さくでき、窓上部の室外側の意匠が良好となると共に、室内側からの視界が上に広がることとなる。尚且つ、上枠本体３ａの下端面と、上框のパネル取付溝４５を構成する上框本体７ａ及び押縁７ｂの垂下壁４６，４７の下端面とが同一面となっているので、室外側から見たときに上枠本体３ａの下端部が上框７の下端から露出せず、室内側から見たときには上框７の下端部が上枠本体３ａの下端から露出しない。さらに、上枠本体３ａの室外側面と補助材３ｂの室外側面と上框７（押縁７ｂ）の室外側面とを同一面としてあるので、上枠３と上框７の室外側面が段差を生ずることなく連続し、意匠性がより一層向上している。
【００２０】
さらに本折戸装置は、吊車５に隣接する位置に上框本体７ａ上面から突出して振れ止めローラー６が複数配置してあり、上枠３の補助材３ｂに形成したガイド壁９に振れ止めローラー６が当接しているので、折戸体２ａ，２ｂの開閉時に竪骨４ａ，４ｃの上端部が室内外方向に振れたり回転したりすることがなく、折戸体２ａ，２ｂの開閉がスムーズに行える。また、上枠本体３ａに吊車走行凹部８を室外側に向けて開口して設けてあるため、補助材３ｂを上枠から取外せば折戸体２ａ，２ｂを室外側から上枠３に容易に取付けできる。折戸体閉鎖時には、上框７上面と上枠３との間の隙間が気密材１０によって塞がれ、上框７室内側面と上枠３との間の隙間が気密材１１によって塞がれるため、上框７と上枠３との間から風雨が室内側に吹き込むことを阻止できる。
【００２１】
本発明は、以上に述べた実施形態に限定されない。戸の上框は、上框本体と押縁とに分割形成したものに限らず、上框本体部とパネル取付溝とを一つの形材で一体に形成したものであってもよい。折戸体は、戸尻側竪骨に上下のガイド装置を取付けずに竪枠に固定してもよい。
【図面の簡単な説明】
【００２２】
【図１】本発明の折戸装置の一実施形態を示す縦断面図である。
【図２】本発明の折戸装置の一実施形態を示す横断面図であって、折戸体を閉鎖した状態を示している。
【図３】本発明の折戸装置の一実施形態を示す横断面図であって、折戸体を開放した状態を示している。
【図４】折戸体の谷折連結部の上端部を室内側から見た図である。
【図５】折戸体の谷折連結部の平面図である。
【図６】本発明の折戸装置の一実施形態を示す室外側正面図である。
【図７】戸に形成した上ガイド装置の収容空間を示す斜視図である。
【図８】（ａ）は上ガイド装置の平面図、（ｂ）は室外側から見た同正面図、（ｃ）は同側面図である。
【符号の説明】
【００２３】
１ａ，１ｂ，１ｃ，１ｄ，１ｅ，１ｆ  戸
２ａ  左折戸体（折戸体）、２ｂ  右折戸体（折戸体）
３  上枠、３ａ  上枠本体、３ｂ  補助材
４ａ  谷折部用連結竪骨（連結竪骨）、４ｂ  山折部用連結竪骨（連結竪骨）
４ｃ  戸先側竪骨、４ｄ  戸尻側竪骨
５  吊車
６  振れ止めローラー
７  上框、７ａ  上框本体、７ｂ  押縁
８  吊車走行凹部
９  ガイド壁
１０，１１  気密材
２２  上ガイド装置（ガイド装置）
２７  水平軸
２８  垂直軸
３２ａ，３２ｂ  切り欠き
４２  ブラケット
４４  上框本体部
４５  パネル取付溝
【図１】
2006265961.tif 000003
【図２】
2006265961.tif 000004
【図３】
2006265961.tif 000005
【図４】
2006265961.tif 000006
【図５】
2006265961.tif 000007
【図６】
2006265961.tif 000008
【図７】
2006265961.tif 000009
【図８】
2006265961.tif 000010